(57)【要約】【課題】水洗便器の床面への設置施工において、水洗便器を抱えて持ち上げる作業を施工作業者に課さず、施工作業者の負担を軽減することで、水洗便器の床面への設置における施工性の向上を図り得る水洗便器の設置構造を提供する。【解決手段】水洗便器１の内部にボウル部２の汚水を排出する排出路の出口３を下方に向けて配置する。排出路の出口３の下方位置に床面４に突設した排水管の入口５を配置する。上下に移動自在な連結補助管６ａを排水管の入口５に装着する。上方に位置した連結補助管６ａを排出路の出口３に接続する。床面４上に水洗便器１をスライドさせたときに排水管及び下方に位置した連結補助管６ａが水洗便器１の内部に導入される切り欠き部７を水洗便器１の外壁に形成する。【選択図】　　　　図１
2004027622.tif 000002
【特許請求の範囲】
【請求項１】
水洗便器の内部にボウル部の汚水を排出する排出路の出口を下方に向けて配置し、排出路の出口の下方位置に床面に突設した排水管の入口を配置し、上下に移動自在な連結補助管を排水管の入口に装着し、上方に位置した連結補助管を排出路の出口に接続し、床面上に水洗便器をスライドさせたときに排水管及び下方に位置した連結補助管が水洗便器の内部に導入される切り欠き部を水洗便器の外壁に形成したことを特徴とする水洗便器の設置構造。
【請求項２】
水洗便器の内部にボウル部の汚水を排出する排出路の出口を下方に向けて配置し、排出路の出口の下方位置に床面に突設した排水管の入口を配置し、上下に伸縮自在にした連結補助管を排出路の出口に装着し、下方に伸張した連結補助管を排水管の入口に接続し、床面上に水洗便器をスライドさせたときに排水管が水洗便器の内部に導入される切り欠き部を水洗便器の外壁に形成したことを特徴とする水洗便器の設置構造。
【請求項３】
床面と接する水洗便器の下縁に滑性を有した滑り部材を装着したことを特徴とする請求項１または２記載の水洗便器の設置構造。
【発明の詳細な説明】
【０００１】
【発明の属する技術分野】
本発明は、水洗便器の設置構造に関し、詳しくは、水洗便器の汚水排出口と床面に設けた排水管入口との連結構造に関する発明である。
【０００２】
【従来の技術】
従来から、水洗便器におけるボウル部からの汚水は、Ｕ字やＰ字状のトラップで構成される排出路を経て、床に埋設された排水管に至って排水されるようになっている。ここで、水洗便器と排水管とは別部材であるから、水洗便器のトラップの出口部分には排出路の出口が設けられ、この排出路の出口を床面に導出された排水管の入口に接続することで、ボウル部からの汚水を排水管に排水させるようにしている。この排出路の出口と排水管の入口との接続施工は、水洗便器の床面への設置施工と同時に行われる。具体的に、施工作業者は、水洗便器を抱えて持ち上げつつ、床面に導出された排水管入口に汚水排出口の位置合わせを行い、そして、上記位置決めによる所定位置の床面に水洗便器を載置することで、排水管の入口に排出路の出口を接続するようにして行われていた。なお、排出路の出口と排水管の入口との接続にあっては、粘着物によるシール方法やゴム製のパッキンを介在させる方法が採用され、臭気や水漏れの防止が図られている。
【０００３】
【発明が解決しようとする課題】
しかしながら、近年、水洗便器には温水洗浄装置等が装備されることが多々あり、この場合には水洗便器の重量がかなりの重量になってしまい、水洗便器の床面への設置施工の際に水洗便器を抱えて持ち上げる施工作業者への負担が大きくなるといった問題が生じている。この施工作業者の負担によっては、排水管入口への汚水排出口の位置合わせを困難にさせ、排水管入口と汚水排出口との正確な接続の確保を困難にさせてしまうのであった。
【０００４】
本発明は上記の点に鑑みてなされたものであり、水洗便器の床面への設置施工において、水洗便器を抱えて持ち上げる作業を施工作業者に課さず、施工作業者の負担を軽減することで、水洗便器の床面への設置における施工性の向上を図り得る水洗便器の設置構造を提供することを課題とするものである。
【０００５】
【課題を解決するための手段】
上記課題を解決するために本発明に係る水洗便器の設置構造にあっては、水洗便器１の内部にボウル部２の汚水を排出する排出路の出口３を下方に向けて配置し、排出路の出口３の下方位置に床面４に突設した排水管の入口５を配置し、上下に移動自在な連結補助管６ａを排水管の入口５に装着し、上方に位置した連結補助管６ａを排出路の出口３に接続し、床面４上に水洗便器１をスライドさせたときに排水管及び下方に位置した連結補助管６ａが水洗便器１の内部に導入される切り欠き部７を水洗便器１の外壁に形成したことを特徴とする。これによると、排出路の出口３を排水管の入口５の上方位置に位置合わせする際には、床面４に突設した排水管やこの排水管に装着した連結補助管６ａを水洗便器１の外壁に形成した切り欠き部７に通して行わせることができ、また、水洗便器１の位置合わせの後には、排水管の入口５に装着した連結補助管６ａを上方に移動させ、この連結補助管６ａを排出路の出口３に接続することで、連結補助管６ａを介して排出路と排水管とを接続できる。つまり、水洗便器１の床面４への設置施工にあっては、水洗便器１を床面４上にスライドさせて行う方法が採用できることから、従来のように作業者は水洗便器１を抱えて持ち上げることはなく、水洗便器１を床面４に設置する施工作業の施工性の向上が図られる。
【０００６】
また、本発明に係る水洗便器の設置構造にあっては、水洗便器１の内部にボウル部２の汚水を排出する排出路の出口３を下方に向けて配置し、排出路の出口３の下方位置に床面４に突設した排水管の入口５を配置し、上下に伸縮自在にした連結補助管６ｂを排出路の出口３に装着し、下方に伸張した連結補助管６ｂを排水管の入口５に接続し、床面４上に水洗便器１をスライドさせたときに排水管が水洗便器１の内部に導入される切り欠き部７を水洗便器の外壁に形成したことを特徴とする。これによると、排出路の出口３を排水管の入口５の上方位置に位置合わせする際には、床面４に突設した排水管を水洗便器１の外壁に形成した切り欠き部７に通して行わせることができ、また、水洗便器１の位置合わせの後には、排出路の出口３に装着した連結補助管６ｂを下方に伸張し、この連結補助管６ｂを排水管の入口５に接続することで、連結補助管６ｂを介して排出路と排水管とを接続できる。つまり、水洗便器１の床面４への設置施工にあっては、水洗便器１を床面４上にスライドさせて行うことができることから、従来のように作業者は水洗便器１を抱えて持ち上げることはなく、水洗便器１を床面４に設置する施工作業の施工性の向上が図られる。
【０００７】
また、本発明に係る水洗便器の設置構造にあっては、床面４と接する水洗便器１の下縁に滑性を有した滑り部材８を装着したことも好ましい。これによると、水洗便器１の床面４への設置施工における水洗便器１の床面４上へのスライド時に、床面４に対して水洗便器１を滑りよくスライドさせることができると共に、水洗便器１を床面４にスライドさせても床面４に傷をつけないようにできるものである。
【０００８】
【発明の実施の形態】
以下、本発明を添付図面に示す実施形態に基づいて説明する。
【０００９】
本発明は、水洗便器１を床面４上にスライドさせて水洗便器１の床面４への設置施工を行えるようにした水洗便器の設置構造であり、水洗便器１の排出路の出口３を床面４に突設された排水管の入口５の上方位置に位置合わせを行う際に、水洗便器１の外壁に設けた切り欠き部７を通して排水管を水洗便器１内に導入させ、排出路の出口３と排水管の入口５との間に連結補助管６を設けると共に、この連結補助管６を適宜上下移動可能にしたり上下に伸縮自在にし、この連結補助管６を介して排出路の出口３と排水管の入口５とを接続するようにしたものである。以下、本発明の実施の形態の例、他例を詳述する。
【００１０】
図１乃至図７に本発明の実施の形態の例を示す。
【００１１】
水洗便器１は、図１に示すように、下端から立ち上がるスカート部９が形成され、このスカート部９の前部上部には上方に開口せるボウル部２が形成され、ボウル部２の後部にはロータンク１０を載置するロータンク設置部１１が形成されている。このロータンク設置部１１の下部にあたるスカート部９の内部には、汚物を受けるボウル部２の汚水を排出させる排出路が形成されている。この排出路には、ボウル部２の下端に連通し、上昇し、下降するようなトラップ１２が形成されており、このトラップ１２の下降する部位に下方に開口する排出路の出口３が形成されている。なお、スカート部９の内部は、下方に開口した中空空間となっているが、水洗便器１の後部の外壁には、床面４に突設される排水管を挿通させる切り欠き部７が下端から上方に切り欠いてあり、この切り欠き部７によってスカート部９の内部は後方にも開口する中空空間となっている。なお、排出路の出口３は、このスカート部９の内部における後部部分に位置して設けられている。
【００１２】
また、水洗便器１の後部下端における左右両端に位置する外壁には、図５に示すように、床面４から立ち上がると共に水洗便器１の左右の中央方向に屈曲する段部が形成されている。この段部には、床面４と所定間隔を有すると共に床面４と略平行の面一状に形成された水平面部１３が設けられている。この水平面部１３には、水洗便器１の後端から前方に向けて切り込んだ切り欠き溝１４が形成されている。また、水洗便器１の外壁の下端には、滑性を有する樹脂製の滑り部材８が嵌め込まれている。この滑り部材８は、水洗便器１を床面４上にスライドさせたとき、水洗便器１を床面４上にほとんど抵抗なく滑るようにさせる部材である。本例では断面略Ｕ字状のキャップ状の樹脂体で滑り部材８を構成しているが、水洗便器１の外観を損ねないように、水洗便器１の外方に露出されない断面略Ｌ字状の樹脂体で滑り部材８を構成してもよい［図６（ｂ）］。
【００１３】
一方、床面４には、水洗便器１の汚水を排水する排水管が突設されている。図１乃至図３に示すように、排水管は、床下に埋設される埋設排水管（図示せず）と、この埋設排水管を床面４に固定させる排水管固定部材１５とで構成される。この排水管固定部材１５は、埋設排水管と連通して床面４から立設する筒状本体部１６と、この筒状本体部１６の外周から突出して床面４上に載置されるフランジ部１７とで形成されている。ここで、フランジ部１７はその前後２箇所で床に打入したビスや木ネジ等の打入具１８によって床面４に固定され、排水管固定部材１５を床面４上に設置している（図４）。また、フランジ部１７の左右２箇所には排水管固定部材１５を水洗便器１に固定する固定具１９が装着される。この固定具１９は、フランジ部１７の下面に固定したナット１９ａと、このナット１９ａに螺合するボルト１９ｂとで構成されている（図５）。また、排水管固定部材１５の筒状本体部１６の上方開口は排水管の入口５を構成しているが、この筒状本体部１６の上部には排水管の入口５と連通する筒状の連結補助管６ａが上下移動自在に連結されている（図２）。
【００１４】
この連結補助管６ａは、筒状本体部２１の上方開口の開口縁にゴム製のパッキン２０が設けられて構成されている。そして、連結補助管６ａは、連結補助管６ａの筒状本体部２１の内周面が排水管固定部材１５の筒状本体部１６の外周面に隙間無く重なって配置され、その状態で排水管固定部材１５に対して上下に移動するようにされている。この連結補助管６ａの排水管固定部材１５に対する上下移動は、以下の構造により行われる。連結補助管６ａの外周面には上下に長いラック２２が１対形成されている。また、排水管固定部材１５のフランジ部１７の上面には上方に突出する枢支突起部２３が１対突設されており、この枢支突起部２３にはそれぞれラック２２に噛合するピニオン２４が回転自在に軸支されている。このピニオン２４は操作レバー２５と一体に形成されている。しかして、図３に示すように、操作レバー２５を操作してピニオン２４を回動させると、ピニオン２４がラック２２に噛合し、連結補助管６ａが上下に移動されるようになっている（図２）。
【００１５】
上述した水洗便器１を床面４に設置する施工は、以下のように行われる。図４に示すように、まず、水洗便器１を床面４上に滑らせて、水洗便器１の排出路の出口３が床面４の排水管の入口５の上方位置に位置するように、位置合わせを行う。このとき、床面４には排水管や連結補助管６ａが突設されているが、これらは切り欠き部７を通って水洗便器１の内部に位置される。なお、このときの連結補助管６ａは、排水管を構成する排水管固定部材１５に対して下方に位置された状態になっている。また、水洗便器１を床面４上にスライドさせたときには、水洗便器１は滑り部材によって床面４上を抵抗なくスライドされるので、スライドする水洗便器１が床面４上を傷つけてしまうのを極力回避できるようにされている。
【００１６】
床面４の所定位置に水洗便器１を位置させたときには、排水管固定部材１５のフランジ部１７が水洗便器１の水平面部１３の下部に潜り込んで位置し、フランジ部１７に設けた固定具１９のボルト１９ｂが水平面部１３の切り欠き溝１４に挿入され、このボルト１９ｂの頭部が水平面部１３の切り欠き溝１４の上縁に載置されている。そして、この固定具１９を締め付け、ボルト１９ｂの頭部とナット１９ａの間でフランジ部１７と水平面部１３とを挟持し、排水管固定部材１５に水洗便器１を固定する。つまり、水洗便器１は、床面４に設置された排水管固定部材１５を介して床面４に固定される（図５）。
【００１７】
最後に、操作レバー２５を操作し、ラック２２に噛合するピニオン２４を回動させ、連結補助管６ａを排水管固定部材１５に対して上方に移動させて、連結補助管６ａの上方開口と水洗便器１の排出路の出口３とを接続させる。この連結補助管６ａと排出路の出口３との接続は、排出路の出口３が連結補助管６ａのパッキン２０に圧入されることで水密的に接続される。本例では、連結補助管６ａの排出路の出口３ヘの固定は、排出路の出口３の連結補助管６ａのパッキン２０への圧入によって行わせているが、たとえば、上方に位置した連結補助管６ａを固定する手段を別個に設けても好ましい。
【００１８】
なお、本例では、切り欠き部７から水洗便器１の内部に手を入れて操作レバー２５の操作を行っているが、たとえば、水洗便器１の切り欠き部７のすぐ後方に壁などがあって切り欠き部７から水洗便器１内に手を入れにくい場合には、図７に示すように、切り欠き部７とは別個の操作用窓孔２６を水洗便器１の側方の外壁に穿設し、この操作用窓孔２６から水洗便器１内に手を入れて操作レバー２５を操作するようにしてもよい。また、この操作用窓孔２６には操作用窓孔２６を塞ぐ蓋材２７を設けることが好ましい。これによると、操作レバー２５の操作後に蓋材２７によって操作用窓孔２６を目立たなくでき、水洗便器１の外観の向上に資することができる。言いかえれば、本例の水洗便器１では、排水管等を通過させる切り欠き部７を、水洗便器１内に手を入れる操作用窓孔２６としても利用しているので、水洗便器１の構成の簡略化が図られていると言える。
【００１９】
上述したように、床面４に突設した排水管や連結補助管６ａが切り欠き部７を通して水洗便器１内に導入されることで、水洗便器１内で排出路の出口３と排水管の入口５とを対向配置でき、続けて、排水管の入口５に装着した連結補助管６ａを上方に移動させ、この連結補助管６ａを排出路の出口３に接続することで、連結補助管６ａを介して排出路と排水管とを接続できるので、本例の水洗便器１の床面４への設置施工にあっては、水洗便器１を床面４上にスライドさせて行う方法が採用できるのである。したがって、従来のように作業者は水洗便器１を抱えて持ち上げることなく施工作業を行うことができ、従来に比べ、水洗便器１の床面４への設置における施工性が格段に向上されているのである。
【００２０】
図８及び図９に本発明の実施の形態の他例を示す。この例を説明するにあたっては、先の実施の形態の例と同様の部位は同一符号を付して説明を省くものとし、先の実施の形態の例と相違する部位につき詳述するものとする。
【００２１】
本例の水洗便器１は、先の実施の形態の例と略同様の水洗便器１を用いている。ただし、本例の水洗便器１では、図８に示すように、排出路の出口３に、排出路と連通する連結補助管６ｂを連結してある。この連結補助管６ｂは蛇腹状の管で構成され、長さ方向に伸縮自在になっている。そして、この連結補助管６ｂは、下方に開口した排出路の出口３に連結されるので、上下方向に伸縮自在にされている。なお、連結補助管６ｂの排出路の出口３への連結は、金属製のホースバンド２８で締め付けられて固定されている。そして、この連結補助管６ｂの下端には、側方に突設した引っ掛け片２９が１対形成されている。この引っ掛け片１９にはその突出先端で上方に突出する爪部３０が形成されている。
【００２２】
床面４には排水管が突設されている。排水管は、床下に埋設される埋設排水管（図示せず）と、この埋設排水管を床面に固定させる排水管固定部材３１とで構成される。この排水管固定部材３１は、筒状の管材で構成され、下部を床面４下に埋設して上部を床面４上に突出するように床面４に設置されている。排水管固定部材３１の上方開口は排水管の入口５を構成するが、この排水管固定部材３１の上方開口の縁部にはパッキン２０が設けられている。また、排水管固定部材３１の外周には外方に枢支突起部３２が１対突設され、この枢支突起部３２には操作子３３とリングフック３４とからなるバックル３５が回転自在に枢支されている。詳述すると、操作子３３は枢支突起部３２に上下に回転自在に枢支され、また、リングフック３４は操作子３３に上下に回転自在に枢支されている。
【００２３】
本例の水洗便器１を床面４に設置する施工は、先の実施の形態の例と同様、水洗便器１を床面４上に滑らせ、水洗便器１の排出路の出口３が床面４の排水管の入口５の上方位置に位置させるように位置合わせを行う。このとき、床面４には排水管が突設されているが、これは切り欠き部７を通って水洗便器１の内部に位置される。なお、このときの連結補助管６ｂは収縮した状態になっている。そして、床面４の所定位置に水洗便器１を位置させた後には、水洗便器１を床面４上に固定する。本例では、床面４にボルト等の打入具３７にて固定した固定部材３６を水洗便器１の外壁の内面に当て、水洗便器１の外側から固定部材３６にボルト等の打入具３８を打入することで行わせている。最後に、図９に示すように、連結補助管６ｂを下方に伸張し、この連結補助管６ｂの下端を排水管固定部材３１の上方開口に挿入し、続けて、リングフック３４内に引っ掛け片２９を挿入し、操作子３３を下方に回動させることで、連結補助管６ｂを更に下方に強く引っ張り、連結補助管６ｂの下端をパッキン２０に圧入し、連結補助管６ｂを排水管の入口５に接続させる。なお、リングフック３４は操作子３３の下方回動に伴って下方のみならず外方へ移動するので、操作子３３を下方に回動したときにはリングフック３４は引っ掛け片２９の爪部３０に引っ掛かり、排水管固定部材３１と連結補助管６ｂとの固定を強固に行わせるのである。
【００２４】
上述したように、床面４に突設した排水管が切り欠き部７を通して水洗便器１内に導入されることで、水洗便器１内で排出路の出口３と排水管の入口５とを対向配置でき、続けて、排出路の出口３に装着した連結補助管６ｂを下方に伸張させ、この連結補助管６ｂを排水管の入口５に接続することで、連結補助管６ｂを介して排出路と排水管とを接続できるので、本例の水洗便器１の床面４への設置施工にあっても、先の実施の形態の例同様、水洗便器１を床面４上にスライドさせて行う方法が採用できるのである。したがって、従来のように作業者は水洗便器１を抱えて持ち上げることなく施工作業を行うことができ、従来に比べ、水洗便器１の床面４への設置における施工性が格段に向上されているのである。
【００２５】
【発明の効果】
上記のように本発明の請求項１記載の発明にあっては、水洗便器の内部にボウル部の汚水を排出する排出路の出口を下方に向けて配置し、排出路の出口の下方位置に床面に突設した排水管の入口を配置し、上下に移動自在な連結補助管を排水管の入口に装着し、上方に位置した連結補助管を排出路の出口に接続し、床面上に水洗便器をスライドさせたときに排水管及び下方に位置した連結補助管が水洗便器の内部に導入される切り欠き部を水洗便器の外壁に形成したので、排出路の出口を排水管の入口の上方位置に位置合わせする際には、床面に突設した排水管やこの排水管に装着した連結補助管を水洗便器の外壁に形成した切り欠き部に通して行わせることができ、また、水洗便器の位置合わせの後には、排水管の入口に装着した連結補助管を上方に移動させ、この連結補助管を排出路の出口に接続することで、連結補助管を介して排出路と排水管とを接続できるようになり、つまり、水洗便器の床面への設置施工にあっては、水洗便器を床面上にスライドさせて行う方法が採用できることから、従来のように作業者は水洗便器を抱えて持ち上げる必要はなくなり、水洗便器を床面に設置する施工作業の施工性の向上を図ることができるのである。
【００２６】
また、本発明の請求項２記載の発明にあっては、水洗便器の内部にボウル部の汚水を排出する排出路の出口を下方に向けて配置し、排出路の出口の下方位置に床面に突設した排水管の入口を配置し、上下に伸縮自在にした連結補助管を排出路の出口に装着し、下方に伸張した連結補助管を排水管の入口に接続し、床面上に水洗便器をスライドさせたときに排水管が水洗便器の内部に導入される切り欠き部を水洗便器の外壁に形成したので、排出路の出口を排水管の入口の上方位置に位置合わせする際には、床面に突設した排水管を水洗便器の外壁に形成した切り欠き部に通して行わせることができ、また、水洗便器の位置合わせの後には、排出路の出口に装着した連結補助管を下方に伸張し、この連結補助管を排水管の入口に接続することで、連結補助管を介して排出路と排水管とを接続できるようになり、つまり、水洗便器の床面への設置施工にあっては、水洗便器を床面上にスライドさせて行う方法が採用できることから、従来のように作業者は水洗便器を抱えて持ち上げる必要はなくなり、水洗便器を床面に設置する施工作業の施工性の向上を図ることができるのである。
【００２７】
また、本発明の請求項３記載の発明にあっては、請求項１または請求項２の効果に加えて、床面と接する水洗便器の下縁に滑性を有した滑り部材を装着したので、水洗便器の床面上へのスライド時に、床面に対して水洗便器を滑りよくスライドさせることができると共に、水洗便器を床面にスライドさせても床面に傷をつけないようにできるものである。
【図面の簡単な説明】
【図１】本発明の実施の形態の例を示す側面断面図である。
【図２】同上の連結補助管の排水管に対する上下移動を説明するものであり、（ａ）は連結補助管が下方に位置した状態を示す一部切り欠き側面図であり、（ｂ）は連結補助管が上方に位置した状態を示す一部切り欠き側面図である。
【図３】（ａ）〜（ｅ）はピニオンとラックとの噛合による連結補助管の上下移動を順に追って説明する説明図である。
【図４】同上の水洗便器の床面への設置施工を説明する斜視図である。
【図５】同上の排水管と水洗便器との固定を説明する部分断面図である。
【図６】同上の滑り部材の他例を説明するものであり、（ａ）は水洗便器の後方から見た斜視図であり、（ｂ）は（ａ）のＡ部分の拡大図である。
【図７】同上の水洗便器の他例の後方から見た斜視図である。
【図８】本発明の実施の形態の他例を示す側面断面図である。
【図９】（ａ）（ｂ）（ｃ）は同上の連結補助管の排水管への接続を順に追って説明する説明図である。
【符号の説明】
１　水洗便器
２　ボウル部
３　排出路の出口
４　床面
５　排水管の入口
６　連結補助管
６ａ　連結補助管
６ｂ　連結補助管
７　切り欠き部
８　滑り部材
【図１】
2004027622.tif 000003
【図２】
2004027622.tif 000004
【図３】
2004027622.tif 000005
【図４】
2004027622.tif 000006
【図５】
2004027622.tif 000007
【図６】
2004027622.tif 000008
【図７】
2004027622.tif 000009
【図８】
2004027622.tif 000010
【図９】
2004027622.tif 000011